(57)【要約】【課題】交換機器の電気接点の汚れに起因する交換機器と機器本体との通信不良を低減することができる交換機器保護キャップを提供する。【解決手段】機器本体と着脱可能に接続され、機器本体と接触する電気接点（４０）を有する交換機器（１００）に装着される保護キャップ（１０Ａ）と、保護キャップ（１０Ａ）に設けられ、電気接点（４０）を清掃する清掃部材（１５Ａ）とを備える。【選択図】図１
2012194431.tif 000002
【特許請求の範囲】
【請求項１】
機器本体と着脱可能に接続され、前記機器本体と接触する電気接点を有する交換機器に装着される保護キャップと、
前記保護キャップに設けられ、前記電気接点を清掃する清掃部材と
を備えることを特徴とする交換機器保護キャップ。
【請求項２】
前記機器本体は光学機器本体であり、前記交換機器は交換レンズであることを特徴とする請求項１記載の交換機器保護キャップ。
【請求項３】
前記清掃部材は、前記交換レンズの電気接点と前記交換レンズの光軸と交差する方向で接触するように配置されていることを特徴とする請求項２記載の交換機器保護キャップ。
【請求項４】
前記清掃部材は、前記交換レンズの電気接点と前記交換レンズの光軸方向で接触するように配置されていることを特徴とする請求項２記載の交換機器保護キャップ。
【請求項５】
前記清掃部材は、ブラシ形状であることを特徴とする請求項１〜４のいずれか１項記載の交換機器保護キャップ。
【請求項６】
前記清掃部材は、繊維布であることを特徴とする請求項１〜４のいずれか１項記載の交換機器保護キャップ。
【請求項７】
前記繊維布は清掃用液体を注入させるための注入部を有することを特徴とする請求項６記載の交換機器保護キャップ。
【請求項８】
バヨネット装着型であることを特徴とする請求項１〜７のいずれか１項記載の交換機器保護キャップ。
【発明の詳細な説明】
【技術分野】
【０００１】
この発明は交換機器保護キャップに関する。
【背景技術】
【０００２】
従来、光学機器のレンズの前方に配置されるレンズキャップであって、レンズに臨む箇所にクリーナ部材が設けられているものが知られている（下記公報参照）。クリーナ部材はレンズキャップに対して、レンズと当接、離間する方向に移動可能であり、レンズの汚れを除去することができる。
【先行技術文献】
【特許文献】
【０００３】
【特許文献１】特許第３１５９７３８号公報
【発明の概要】
【発明が解決しようとする課題】
【０００４】
しかし、上述のようにレンズキャップのクリーナ部材はレンズの汚れを除去することはできるが、光学機器との間で通信を行うためのレンズ鏡筒の電気接点を清掃することはできない。レンズ鏡筒の電気接点がゴミ等の付着によって汚れると、光学機器とレンズ鏡筒との間に通信不良が発生することがある。
【０００５】
この発明はこのような事情に鑑みてなされたもので、その課題は交換機器の電気接点の汚れに起因する交換機器と機器本体との通信不良を低減することができる交換機器保護キャップを提供することである。
【課題を解決するための手段】
【０００６】
上記課題を解決するため請求項１記載の発明は、機器本体と着脱可能に接続され、前記機器本体と接触する電気接点を有する交換機器に装着される保護キャップと、前記保護キャップに設けられ、前記電気接点を清掃する清掃部材とを備えることを特徴とする。
【０００７】
請求項２記載の発明は、請求項１記載の交換機器保護キャップにおいて、前記機器本体は光学機器本体であり、前記交換機器は交換レンズであることを特徴とする。
【０００８】
請求項３記載の発明は、請求項２記載の交換機器保護キャップにおいて、前記清掃部材は、前記交換レンズの電気接点と前記交換レンズの光軸と交差する方向で接触するように配置されていることを特徴とする。
【０００９】
請求項４記載の発明は、請求項２記載の交換機器保護キャップにおいて、前記清掃部材は、前記交換レンズの電気接点と前記交換レンズの光軸方向で接触するように配置されていることを特徴とする。
【００１０】
請求項５記載の発明は、請求項１〜４のいずれか１項記載の交換機器保護キャップにおいて、前記清掃部材は、ブラシ形状であることを特徴とする。
【００１１】
請求項６記載の発明は、請求項１〜４のいずれか１項記載の交換機器保護キャップにおいて、前記清掃部材は、繊維布であることを特徴とする。
【００１２】
請求項７記載の発明は、請求項６記載の交換機器保護キャップにおいて、前記繊維布は清掃用液体を注入させるための注入部を有することを特徴とする。
【００１３】
請求項８記載の発明は、請求項１〜７のいずれか１項記載の交換機器保護キャップにおいて、バヨネット装着型であることを特徴とする。
【発明の効果】
【００１４】
この発明によれば、交換機器の電気接点の汚れに起因する交換機器と機器本体との通信不良を低減することができる。
【図面の簡単な説明】
【００１５】
【図１】図１はこの発明の第１実施形態に係るレンズキャップをレンズ鏡筒に装着した状態の断面を示す概念図である。
【図２】図２はレンズキャップの一部を切り欠いた図１のＡ矢視図である。
【図３】図３はこの発明の第２実施形態に係るレンズキャップをレンズ鏡筒に装着した状態の断面を示す概念図である。
【発明を実施するための形態】
【００１６】
以下、この発明の実施の形態を図面に基づいて説明する。
【００１７】
図１はこの発明の第１実施形態に係るレンズキャップ（交換機器保護キャップ）１０をレンズ鏡筒（交換機器）１００に装着した状態の断面を示す概念図である。なお、図１ではレンズ鏡筒１００の前側部分の図示を省略した。
【００１８】
レンズキャップ１０は交換レンズであるレンズ鏡筒１００に内蔵された撮影レンズ２０を保護する目的で使用される。
【００１９】
レンズキャップ１０はレンズキャップ本体（保護キャップ）１０Ａと、レンズキャップ本体１０Ａに設けられた清掃部材１５Ａとを備えている。
【００２０】
レンズキャップ本体１０Ａは光軸Ｌ方向で撮影レンズ２０と対向する円盤部１３と、円盤部１３に連なり、円盤部１３から離れるにしたがって直径が次第に大きくなる筒部１４とからなる。
【００２１】
筒部１４の開口側端部には複数のレンズキャップ側爪部１１が設けられている。レンズキャップ側爪部１１はレンズキャップ１０の円周方向に等間隔に配置されている。
なお、筒部１４には清掃部材１５Ａにアルコール等の清掃用液体を注入するための孔（注入部）１２が形成されている。
【００２２】
レンズキャップ本体１０Ａは、光学機器本体である図示しないカメラボディ（機器本体）に対して着脱可能に接続されるレンズ鏡筒１００に装着される。レンズキャップ本体１０Ａはバヨネット装着型である。
【００２３】
レンズ鏡筒１００は、撮影レンズ２０を保持するレンズ保持枠２１と、レンズ保持枠２１を収容する外筒部９０と、外筒部９０のカメラボディ側端部に配置されるレンズマウント３０と、カメラボディ側電気接点（図示せず）と接触するレンズ側電気接点（交換機器の電気接点）４０とを備えている。
【００２４】
撮影レンズ２０はレンズＬ１，Ｌ２、Ｌ３を含むレンズ群であり、これらのレンズＬ１，Ｌ２、Ｌ３が光軸Ｌ方向へ移動し、撮影画角の変更やフォーカシング動作が行われる。
【００２５】
レンズ保持枠２１とレンズマウント３０との間には遮光機能を有する遮光リング１１０が配置されている。
【００２６】
レンズマウント３０はレンズキャップ１０が着脱可能に接続される部分であり、レンズ鏡筒１００の後端部（カメラボディ側部分）に位置している。
【００２７】
レンズマウント３０はレンズキャップ側爪部１１と係合する複数のレンズ側爪部３１を備えている。レンズ側爪部３１はレンズ鏡筒１００の円周方向に等間隔に配置されている。
レンズ側爪部３１の近傍にレンズ側電気接点４０が配置されている。レンズ側電気接点４０は図示しないカメラボディ側電気接点と電気的に接続させるものであり、レンズ側電気接点４０とカメラボディ側電気接点との接触によってレンズ鏡筒１００とカメラボディとの間で通信やデータの送受信が可能となり、さらにカメラボディからの電力供給が可能となる。
【００２８】
レンズ側電気接点４０はほぼＵ字形状の導電性金属からなる板ばねである。
【００２９】
レンズ側電気接点４０はレンズマウント３０に周方向に沿って所定間隔おきに複数（例えば１０本）配置されている（図２参照）。レンズ側電気接点４０の一端部はフレキシブル配線基板４１に板ばねの弾性力によって接触している。フレキシブル配線基板４１はコネクタ５１を介してフォーカシング動作等を制御するＣＰＵ５２に接続されている。コネクタ５１、ＣＰＵ５２は制御基板５０に装着されている。
【００３０】
レンズ側電気接点４０の他端部は自由端となっており、レンズ鏡筒１００から突出する方向（放射方向）への弾性力が付与されている。レンズ側電気接点４０の他端部には円弧状の接点４５が形成されており、接点４５がレンズマウント３０に形成された開口部１０１からレンズ鏡筒１００の径方向へ突出する。
【００３１】
図２はレンズキャップの一部を切り欠いた図１のＡ矢視図である。図２（ａ）はレンズキャップ１０のレンズ鏡筒１００への装着開始位置を示し、図２（ｂ）はレンズキャップ１０のレンズ鏡筒１００への装着完了位置（固定位置）を示す。
【００３２】
レンズ側電気接点４０を清掃するための清掃部材１５Ａが筒部１４の内周面に設けられている。清掃部材１５Ａは光軸Ｌを中心とする円弧状である（図２（ａ）参照）。清掃部材１５Ａは接点４５（レンズ側電気接点４０）とレンズ鏡筒１００の光軸Ｌと直交する方向（光軸Ｌと交差する方向）で接触する。清掃部材１５Ａとしては例えばワイピングクロス（繊維布）や清掃用ブラシが用いられる。清掃部材１５Ａとしてワイピングクロスを使用するときには孔１２から清掃部材１５Ａに清掃用液体を注入するのが好ましい。
【００３３】
図２からわかるように、この実施形態では清掃部材１５Ａの長さは筒部１４の内周面の全周の１/４程度である。なお、清掃部材１５Ａの長さは筒部１４の内周面の全周の１/４程度に限られるものではなく、筒部１４の内周面の全周に亘る長さでもよい。
【００３４】
次に、レンズキャップ１０のレンズ鏡筒１００への装着方法を説明する。
【００３５】
まず、レンズキャップ１０の開口側端部とレンズ鏡筒１００の後端部とを突き合わせ、レンズキャップ１０をレンズ鏡筒１００への装着開始位置に合わせる（図２（ａ）参照）。
【００３６】
装着開始位置からレンズキャップ１０を光軸Ｌを中心として反時計方向（図２（ａ）の矢印の方向）へ回転させ、レンズキャップ側爪部１１を外筒部９０の後端面９０ａとレンズ側爪部３１との間隙に挿入し、レンズキャップ側爪部１１とレンズ側爪部３１とを係合させる。
【００３７】
その後、レンズキャップ１０を更にレンズキャップ１０が回転できなくなる固定位置まで反時計方向へ回転させる。
【００３８】
その結果、レンズキャップ１０のレンズ鏡筒１００への装着が完了する（図２（ｂ）参照）。
【００３９】
図２（ａ）に示された装着開始位置から図２（ｂ）に示された固定位置までレンズキャップ１０が回転する間に、レンズキャップ本体１０Ａの清掃部材１５Ａがレンズ側電気接点４０の表面を擦るので、レンズ側電気接点４０が清掃される。
【００４０】
なお、レンズキャップ１０を光軸Ｌを中心として時計方向（図２（ａ）の矢印の方向と反対の方向）へ回転させてレンズ鏡筒１００から取り外すときにおいても、装着時と同様に清掃部材１５Ａがレンズ側電気接点４０の表面を擦るので、レンズ側電気接点４０が清掃される。
【００４１】
この実施形態によれば、専用の清掃用具を用意してレンズ側電気接点４０を清掃しなくとも、レンズキャップ１０をレンズ鏡筒１００に着脱するときにレンズ側電気接点４０が必ず清掃されるので、レンズ側電気接点４０の汚れに起因するカメラボディとレンズ鏡筒１００との通信不良を低減することができる。その結果、良好な撮影を行うことができる。なお、清掃部材１５Ａのワイピングクロスに清掃用液体を注入しておけば、レンズキャップ１０の着脱時にレンズ側電気接点４０の汚れが落ち易くなるとともに、静電気の発生を効果的に防止できる。
【００４２】
また、上記実施形態ではレンズキャップ本体１０Ａをバヨネット装着型としたが、スクリュー装着型としてもよい。スクリュー装着型としたときには清掃部材１５Ａは筒部１４の内周面の全周に亘って配置される。
【００４３】
更に、レンズ側電気接点４０の接点４５の形状は円弧状に限られない。
【００４４】
図３はこの発明の第２実施形態に係るレンズキャップ（交換機器保護キャップ）６０をレンズ鏡筒（交換機器）２００に装着した状態の断面を示す概念図であり、第１実施形態と共通する部分には同一符号を付してその説明を省略する。
【００４５】
この実施形態は清掃部材１５Ｂをレンズ鏡筒２００のレンズ側電気接点（交換機器の電気接点）１４０に光軸Ｌ方向で接触させるように配置した点で第１実施形態と相違する。
【００４６】
レンズ側爪部３１の近傍にレンズ側電気接点１４０が配置されている。レンズ側電気接点１４０はほぼＵ字形状の導電性金属からなる板ばねである。レンズ側電気接点１４０はレンズマウント１３０に周方向に沿って所定間隔おきに複数配置されている。
【００４７】
レンズ側電気接点１４０の一端部はフレキシブル配線基板４１に板ばねの弾性力によって接触している。
【００４８】
レンズ側電気接点１４０の他端部にはレンズ鏡筒２００のレンズマウント１３０に形成された開口部２０１から光軸Ｌ方向へ露出する平板状の接点４６が配置されている。接点４６はレンズマウント１３０の後端面とほぼ面一となるように配置されている。
【００４９】
清掃部材１５Ｂは円盤部１３に設けられている。清掃部材１５Ｂは光軸Ｌを中心とする円弧状である。清掃部材１５Ｂは第１実施形態の清掃部材１５Ａと同様にワイピングクロスや清掃用ブラシが用いられる。レンズキャップ６０をレンズ鏡筒２００に装着したとき、接点４６（レンズ側電気接点１４０）がレンズキャップ本体（保護キャップ）１０Ｂの清掃部材１５Ｂに接触する。
【００５０】
この実施形態では、レンズキャップ６０をレンズ鏡筒２００に装着した装着開始位置から固定位置まで回転させたとき、清掃部材１５Ｂがレンズ側電気接点１４０の表面を擦るので、清掃部材１５Ｂによってレンズ側電気接点１４０が清掃される。
【００５１】
なお、レンズキャップ６０を固定位置から装着開始位置まで回転させてレンズ鏡筒２００から取り外すときにおいても清掃部材１５Ｂによってレンズ側電気接点１４０が清掃される。
【００５２】
この実施形態によれば、第１実施形態と同様の効果を奏することができ、良好な撮影を行うことができる。
【００５３】
なお、上記各実施形態では、交換機器保護キャップとしてレンズ鏡筒の撮影レンズ２０を保護するレンズキャップを一例として説明したが、他の交換機器保護キャップとしては、例えばストロボ機器の接点部、メモリーカード等を保護するキャップがある。
【符号の説明】
【００５４】
１０，６０：レンズキャップ（交換機器保護キャップ）、１０Ａ，１０Ｂ：レンズキャップ本体（保護キャップ）、１２：孔（注入部）、１５Ａ，１５Ｂ：清掃部材、４０，１４０：レンズ側電気接点（交換機器の電気接点）、１００，２００：レンズ鏡筒（交換機器）、Ｌ：光軸。
【図１】
2012194431.tif 000003
【図２】
2012194431.tif 000004
【図３】
2012194431.tif 000005